(57)【要約】      （修正有）【課題】遺体の上半身及び下半身を冷却することができる遺体冷却装置を提供する。【解決手段】遺体冷却装置１００は、遺体を仰向けに寝かせた状態で上半身と下半身を背面から冷却するための複数の冷却用部材２ａ、２ｂ、２ｃ、２ｄ、２ｅを配置した遺体安置台１ａと、冷却用部材２ａ、２ｂ、２ｃ、２ｄ、２ｅを冷却するための冷却ユニットとを備える。冷却用部材２ｄは腿冷却用部材であり、冷却用部材２ｅは脹脛冷却用部材である。【選択図】図１
2019217258.tif 000002
【特許請求の範囲】
【請求項１】
遺体を仰向けに寝かせた状態で上半身と下半身を背面から冷却するための複数の冷却用部材を配置した遺体安置台と、
前記冷却用部材を冷却するための冷却ユニットとを備えることを特徴とする遺体冷却装置。
【請求項２】
請求項１に記載の遺体冷却装置において、
前記冷却用部材は、頭から首にかけての全範囲または一部の範囲に接する位置に設けられた少なくとも１つの冷却用部材と、背中から臀部にかけての全範囲または一部の範囲に接する位置に設けられた少なくとも１つの冷却用部材と、腿から脹脛の全範囲または一部の範囲に接する位置に設けられた少なくとも１つの冷却用部材とを含むことを特徴とする遺体冷却装置。
【請求項３】
請求項２に記載の遺体冷却装置において、
前記冷却用部材は、頭または首に接する位置に設けられた冷却用部材と、背中に接する位置に設けられた冷却用部材と、腰または臀部に接する位置に設けられた冷却用部材と、腿に接する位置に設けられた冷却用部材と、脹脛に接する位置に設けられた冷却用部材と
を含むことを特徴とする遺体冷却装置。
【請求項４】
請求項３に記載の遺体冷却装置において、
頭に接する前記冷却用部材と腿に接する前記冷却用部材は、背中に接する前記冷却用部材、腰または臀部に接する前記冷却用部材、脹脛に接する前記冷却用部材よりも前記遺体安置台からの高さが高くなるように構成されることを特徴とする遺体冷却装置。
【請求項５】
請求項３または４に記載の遺体冷却装置において、
背中に接する前記冷却用部材と腰または臀部に接する前記冷却用部材と脹脛に接する前記冷却用部材は、頭または首に接する前記冷却用部材、腿に接する前記冷却用部材よりも遺体に接する面の面積が大きくなるように構成されることを特徴とする遺体冷却装置。
【請求項６】
請求項３〜５のいずれか一項に記載の遺体冷却装置において、
腿に接する前記冷却用部材と脹脛に接する前記冷却用部材は、頭または首に接する前記冷却用部材、背中に接する前記冷却用部材、腰または臀部に接する前記冷却用部材よりも横幅が広く構成されることを特徴とする遺体冷却装置。
【請求項７】
請求項３〜６のいずれか一項に記載の遺体冷却装置において、
少なくとも一つの冷却用部材の冷却温度を異なる温度にすることを特徴とする遺体冷却装置。
【請求項８】
請求項７に記載の遺体冷却装置において、
腰に接する位置に設けられた冷却用部材の冷却温度を他の冷却用部材の冷却温度よりも低くすることを特徴とする遺体冷却装置。
【請求項９】
請求項３〜８のいずれか一項に記載の遺体冷却装置において、
前記遺体安置台は、頭または首に接する位置に設けられた冷却用部材と背中に接する位置に設けられた冷却用部材が配置された第一の台部と、腰または臀部に接する位置に設けられた冷却用部材と腿に接する位置に設けられた冷却用部材が配置された第二の台部と、脹脛に接する位置に設けられた冷却用部材が配置された第三の台部とに分割可能に構成されることを特徴とする遺体冷却装置。
【請求項１０】
請求項９に記載の遺体冷却装置において、
前記第一の台部と前記第二の台部と前記第三の台部は、それぞれが４本の脚で自立可能となっており、前記第一の台部の上側２本の脚は、脚の長さを延長するための長さ延長用部材を取り付け可能としたことを特徴とする遺体冷却装置。
【請求項１１】
請求項１〜１０のいずれか一項に記載の遺体冷却装置において、
前記遺体安置台に、各冷却部材の温度を表示するための温度表示部を設置したことを特徴とする遺体冷却装置。
【請求項１２】
請求項１〜１１のいずれか一項に記載の遺体冷却装置において、
前記冷却用部材は、熱伝導効果が高い金属製の部材であって、
前記冷却ユニットは、ペルチェ素子の吸熱側を前記冷却用部材に接触させ、前記ペルチェ素子の発熱側をヒートシンクに接触させて、放熱用ファンを用いて前記ヒートシンクの熱を放熱させることにより、前記冷却用部材を冷却することを特徴とする遺体冷却装置。
【発明の詳細な説明】
【技術分野】
【０００１】
本発明は、遺体冷却装置に関する。
【背景技術】
【０００２】
次のような冷却装置が知られている。この冷却装置は、ペルチェ素子の冷熱を伝える伝熱部材により遺体を冷却することによって、遺体の腐敗を抑制する（例えば、特許文献１）。
【先行技術文献】
【特許文献】
【０００３】
【特許文献１】特開２００９−１１５７４号公報
【発明の概要】
【発明が解決しようとする課題】
【０００４】
遺体の腐敗を抑制するためには、ドライアイスを用いて遺体を冷却する方法がとられるが、より高い冷却効果を得るために、ペルチェ素子を用いた冷却装置が登場している。ペルチェ素子を用いた冷却装置では、ペルチェ素子の冷熱を伝える伝熱部材を冷却用部材として遺体に密着させることにより遺体を冷却して腐敗を抑制している。従来の冷却装置でもこのような方法がとられているが、遺体は下半身も腐敗しやすいため、下半身も冷やすことによって、より腐敗の抑制効果を得ることができる。このため、上半身だけでなく、下半身も冷やすことができるように冷却用部材を配置することが好ましいが、従来の装置ではこの点について何ら検討されていなかった。
【課題を解決するための手段】
【０００５】
本発明による遺体冷却装置は、遺体を仰向けに寝かせた状態で上半身と下半身を背面から冷却するための複数の冷却用部材を配置した遺体安置台と、冷却用部材を冷却するための冷却ユニットとを備えることを特徴とする。
【発明の効果】
【０００６】
本発明によれば、上半身だけでなく下半身を冷却するための冷却用部材も配置したので、腐敗しやすい遺体の下半身も冷却することができる。
【図面の簡単な説明】
【０００７】
【図１】遺体冷却装置１００を側方から見た場合の一実施の形態の構成を示す図である。
【図２】遺体冷却装置１００を上方から見た場合の一実施の形態の構成を示す図である。
【図３】遺体冷却装置１００の使用例を示す第１の図である。
【図４】遺体冷却装置１００の使用例を示す第２の図である。
【図５】遺体冷却装置１００の寸法例を示す図である。
【図６】遺体冷却装置１００の使用例を示す第３の図である。
【発明を実施するための形態】
【０００８】
−第１の実施の形態−
図１は、第１の実施の形態における遺体冷却装置１００を側方から見た場合の一実施の形態の構成を示す図である。また、図２は、本実施の形態における遺体冷却装置１００を上方から見た場合の一実施の形態の構成を示す図である。本実施の形態における遺体冷却装置１００では、遺体を仰向けに寝かせた状態で上半身と下半身を背面から冷却するための複数の冷却用部材２ａ〜２ｅを配置した遺体安置台１ａと、各冷却用部材を冷却するための冷却ユニットとを備え、遺体の上半身と下半身を背面から冷却しながら保管することができる。
【０００９】
一般的に、遺体は、脳や内臓が早い段階から腐敗していき、下半身はむくみによって水分が溜まりやすく腐敗により表皮がもろくなることで体液の流出がしやすい。このため、脳の腐敗を抑制するために頭や首を冷やし、内臓の腐敗を抑制するために胴体を冷やし、下半身の腐敗を抑制するために腿や脹脛などを冷やすことができれば、遺体の長期保存が可能となる。
【００１０】
この点を加味すると、遺体安置台１ａに配置される冷却用部材は、頭から首にかけての全範囲または一部の範囲に接する位置に設けられる少なくとも１つの冷却用部材と、背中から臀部にかけての全範囲または一部の範囲に接する位置に設けられる少なくとも１つの冷却用部材と、腿から脹脛の全範囲または一部の範囲に接する位置に設けられる少なくとも１つの冷却用部材とを含むことが好ましい。このため、本実施の形態における遺体冷却装置１００では、遺体を仰向けに寝かせるための遺体安置台１ａには、この点を考慮した配置位置に遺体を冷却するための冷却用部材２ａ〜２ｅが配置されている。
【００１１】
本実施の形態における遺体冷却装置１００では、冷却用部材は、人体の頭に接する位置に配置された頭冷却用部材２ａと、人体の背中に接する位置に配置された背中冷却用部材２ｂと、人体の腰に接する位置に配置された腰冷却用部材２ｃと、人体の腿に接する位置に配置された腿冷却用部材２ｄと、人体の脹脛に接する位置に配置された脹脛冷却用部材２ｅとが配置されている。
【００１２】
上述したように、遺体は、脳や内臓が早い段階から腐敗していくため、本実施の形態における遺体冷却装置１００では、遺体の頭、背中、腰に接する部分に冷却用部材を配置することにより、遺体の腐敗を抑制している。また、下半身はむくみによって水分が溜まりやすく腐敗により表皮がもろくなることで体液の流出がしやすいが、本実施の形態における遺体冷却装置１００では、遺体の腿や脹脛も冷却することができるため、より遺体の腐敗を抑制することができる。
【００１３】
また、本実施の形態における遺体冷却装置１００は、遺体安置台１ａは、第一の台部１ｂと第二の台部１ｃと第三の台部１ｄの３つに分割することができ、第一の台部１ｂ、第二の台部１ｃ、第三の台部１ｄは、それぞれが４本の脚で自立する構造になっている。
【００１４】
図３及び図４は、遺体冷却装置１００の使用状態を示す図、すなわち遺体冷却装置１００に点線で示した遺体を寝かせた状態を模式的に示した図である。遺体冷却装置１００に遺体を寝かせる際には、図３および図４に示すように、頭冷却用部材２ａに頭を乗せ、背中冷却用部材２ｂに背中を乗せ、腰冷却用部材２ｃに腰を乗せ、腿冷却用部材２ｄに腿を乗せ、脹脛冷却用部材２ｅに脹脛を乗せるように位置を調整する。このとき、遺体の身長や体形によっては各冷却用部材の位置と遺体の各部の位置が一致しない可能性もある。そのような場合には、第一の台部１ｂと第二の台部１ｃの間隔や第二の台部１ｃの間隔と第三の台部１ｄの間隔を調整することにより、頭冷却用部材２ａに頭が接し、背中冷却用部材２ｂに背中が接し、腰冷却用部材２ｃに腰が接し、腿冷却用部材２ｄに腿が接し、脹脛冷却用部材２ｅに脹脛が接するように位置合わせを行うことができる。
【００１５】
このように、本実施の形態における遺体冷却装置１００は、遺体安置台１ａを３つに分割できるように構成したことにより、未使用時の持ち運びを容易にするだけでなく、遺体の身長や体形に合わせて各台部の間隔を調整することも可能としている。
【００１６】
本実施の形態では、図１、図３に示す例では、第一の台部１ｂには、遺体に接する表面側に、頭冷却用部材２ａと背中冷却用部材２ｂとが設けられ、裏面側に頭冷却用部材２ａと背中冷却用部材２ｂを冷却するための冷却ユニットが収納された冷却ユニット収納部３ａが設けられている。また、第二の台部１ｃには、遺体に接する表面側に、腰冷却用部材２ｃと腿冷却用部材２ｄとが設けられ、裏面側に腰冷却用部材２ｃと腿冷却用部材２ｄを冷却するための冷却ユニットが収納された冷却ユニット収納部３ｂが設けられている。また、第三の台部１ｄには、遺体に接する表面側に、脹脛冷却用部材２ｅが設けられ、裏面側に脹脛冷却用部材２ｅを冷却するための冷却ユニットが収納された冷却ユニット収納部３ｃが設けられている。なお、冷却ユニット収納部は、冷却ユニットを収納するための空間を設けた箱状のものとしてもよいし、台部の裏面に設置された冷却ユニットが周囲から見えないように化粧板等で囲ったものであってもよい。
【００１７】
なお、本実施の形態では、冷却ユニットは、ペルチェ素子を用いたものとする。このために、本実施の形態では、冷却用部材２ａ〜２ｅは、熱伝導効果が高い金属製の部材、例えばアルミ製の部材を用いる。冷却ユニットは、ペルチェ素子の吸熱側を冷却用部材２ａ〜２ｅに接触させ、ペルチェ素子の発熱側をヒートシンクに接触させて、放熱用ファンを用いてヒートシンクの熱を放熱させることにより、冷却用部材２ａ〜２ｅを冷却する。このため、冷却ユニット収納部３ａ〜３ｃには、冷却用部材２ａ〜２ｅを冷却するための冷却ユニットとして、ペルチェ素子、ヒートシンク、冷却ファンなどを備えたユニットが収納されているものとする。なお、ペルチェ素子を用いた冷却ユニットの構造や冷却の仕組みは、公知の技術であるため本実施の形態では詳細の説明を省略する。
【００１８】
また、第一の台部１ｂには、側面に、頭冷却用部材２ａの温度を表示するための温度表示部４ａと背中冷却用部材２ｂの温度を表示するための温度表示部４ｂとが設けられている。第二の台部１ｃには、側面に、腰冷却用部材２ｃの温度を表示するための温度表示部４ｃと腿冷却用部材２ｄの温度を表示するための温度表示部４ｄとが設けられている。第三の台部１ｄには、側面に、脹脛冷却用部材２ｅの温度を表示するための温度表示部４ｅが設けられている。これによって、遺体冷却装置１００の利用者は各冷却用部材の温度を把握することができる。なお、各温度表示部への温度の表示方法は特に限定されないが、例えば、各冷却用部材の表面や内部に温度を計測するためのセンサーを設けておき、センサーによる計測結果を温度表示部に表示すればよい。
【００１９】
図１や図３に示すように、本実施の形態における遺体冷却装置１００では、頭冷却用部材２ａと腿冷却用部材２ｄは、背中冷却用部材２ｂ、腰冷却用部材２ｃ、脹脛冷却用部材２ｅよりも遺体安置台１ａからの高さが高くなるように構成されている。このように、遺体を仰向けに寝かせたときに、遺体の体の形にそって各冷却部材と遺体とがより密着するように設計されている。また、遺体を仰向けに寝かせたときに頭部を高くしないと遺体の口が開いてしまうが、本実施の形態における遺体冷却装置１００のように頭冷却用部材２ａの高さを高くすることによってこれを防ぐことができる。
【００２０】
また、図２や図４に示すように、本実施の形態における遺体冷却装置１００では、背中冷却用部材２ｂと腰冷却用部材２ｃと脹脛冷却用部材２ｅは、頭冷却用部材２ａ、腿冷却用部材２ｄよりも遺体に接する面の面積が大きくなるように構成されている。このように、面積が広い背中から腰に掛けての部分と、腐敗しやすい下半身の冷却部分は、遺体が冷却部材に接する面積が広くなるように設計されている。なお、背中冷却用部材２ｂ、腰冷却用部材２ｃ、脹脛冷却用部材２ｅの面積は、ペルチェ素子を用いた冷却において冷却効果が維持できる最大限の面積とすることが好ましい。また、図２、４に示すように、本実施の形態における遺体冷却装置１００では、腿冷却用部材２ｄと脹脛冷却用部材２ｅの横幅は他の冷却部材よりも広く構成されている。これによって、開いた脚や歪曲した脚にも対応して下半身を冷却することができる。
【００２１】
図５は、本実施の形態における遺体冷却装置１００をより具体的に説明するために、各部の寸法を付した図である。図５において寸法の単位はｍｍである。図５に示した寸法は、日本人の６０歳以上の男女の平均身長や平均座高を基準に、低身長から高身長まで対応できるように設計した場合の例を示している。なお、図５に示す寸法は一例であって、各部の寸法は図５に示す値に限定されるものではない。
【００２２】
以上説明した第１の本実施の形態によれば、以下のような作用効果を得ることができる。
（１）遺体冷却装置１００は、遺体を仰向けに寝かせた状態で上半身と下半身を背面から冷却するための複数の冷却用部材２ａ〜２ｅを配置した遺体安置台１ａと、冷却用部材２ａ〜２ｅを冷却するための冷却ユニットとを備えるようにした。遺体は、脳や内臓が早い段階から腐敗していき、下半身はむくみによって水分が溜まりやすく腐敗により表皮がもろくなることで体液の流出がしやすいが、遺体冷却装置１００を用いれば遺体の上半身と下半身を冷却して遺体を長時間保存することが可能となる。
【００２３】
（２）冷却用部材は、頭から首にかけての全範囲または一部の範囲に接する位置に設けられた少なくとも１つの冷却用部材と、背中から臀部にかけての全範囲または一部の範囲に接する位置に設けられた少なくとも１つの冷却用部材と、腿から脹脛の全範囲または一部の範囲に接する位置に設けられた少なくとも１つの冷却用部材とを含むようにした。これによって、遺体の脳、内臓、下半身を重点的に冷却することが可能となる。
【００２４】
（３）冷却用部材は、頭に接する位置に設けられた冷却用部材２ａと、背中に接する位置に設けられた冷却用部材２ｂと、腰に接する位置に設けられた冷却用部材２ｃと、腿に接する位置に設けられた冷却用部材２ｄと、脹脛に接する位置に設けられた冷却用部材２ｅとを含むようにした。これによって、遺体は、脳や内臓が早い段階から腐敗してくことを加味して、遺体の頭、背中、腰に接する位置に冷却用部材２ａ〜２ｃを配置することにより、遺体の腐敗を抑制することができる。また、下半身はむくみによって水分が溜まりやすく腐敗により表皮がもろくなることで体液の流出がしやすいことを加味して、遺体の腿や脹脛に接する位置に冷却用部材２ｄ、２ｅを配置することにより、遺体の腐敗抑制効果を高めることができる。また、遺体を血液や水分が沈下している背面側から冷却するため熱伝導率が高く、遺体を深部まで冷やすことができる。
【００２５】
（４）遺体冷却装置１００では、頭に接する冷却用部材２ａと腿に接する冷却用部材２ｄは、背中に接する冷却用部材２ｂ、腰に接する冷却用部材２ｃ、脹脛に接する冷却用部材２ｅよりも遺体安置台１ａからの高さが高くなるように構成するようにした。これによって、遺体安置台１ａに遺体を仰向けに寝かせたときに、遺体の口が開くのを防ぎ、遺体の体の形にそって各冷却部材と遺体とが密着しやすくなる構造となっている。
【００２６】
（５）遺体冷却装置１００では、背中に接する冷却用部材２ｂと腰に接する冷却用部材２ｃと脹脛に接する冷却用部材２ｅは、頭に接する冷却用部材２ａ、腿に接する冷却用部材２ｄよりも遺体に接する面の面積が大きくなるように構成するようにした。これによって、面積が広い背中から腰に掛けての範囲と、腐敗しやすい下半身については、遺体と冷却部材とが接する面積を広くすることができる。
【００２７】
（６）遺体冷却装置１００では、腿に接する冷却用部材２ｄと脹脛に接する冷却用部材２ｅは、頭に接する冷却用部材２ａ、背中に接する冷却用部材２ｂ、腰に接する冷却用部材２ｃよりも横幅が広く構成されるようにした。これによって、開いた脚や歪曲した脚にも対応して下半身を冷却することができる。
【００２８】
（７）遺体安置台１ａは、背中に接する冷却用部材２ｂと腰に接する冷却用部材２ｃとの間、および腿に接する冷却用部材２ｄと脹脛に接する冷却用部材２ｅとの間で分割可能に構成されるようにした。これによって、未使用時に容易に持ち運ぶことが可能となる。また、遺体安置台１ａを配置する際に、分割位置で各台の間隔を変えることより、冷却用部材が遺体と接する位置を調整することができるため、遺体の身長に合わせて配置することが可能となる。
【００２９】
（８）遺体安置台１ａに、各冷却部材の温度を表示するための温度表示部４ａ〜４ｅを設置するようにした。これによって、遺体冷却装置１００の利用者は各冷却用部材の温度を把握することができる。
【００３０】
（９）冷却用部材２ａ〜２ｅは、熱伝導効果が高い金属製の部材であって、冷却ユニットは、ペルチェ素子の吸熱側を冷却用部材に接触させ、ペルチェ素子の発熱側をヒートシンクに接触させて、放熱用ファンを用いてヒートシンクの熱を放熱させることにより、冷却用部材を冷却するようにした。これによって、公知の技術を利用して遺体冷却装置１００を実現することができる。また、遺体冷却装置１００を一般的な家庭用電源で使用することが可能となり、場所を選ばずに使用することができる。
【００３１】
−第２の実施の形態−
上述した第１の実施の形態では、遺体安置台１ａに冷却用部材２ａ〜２ｅを配置して、人体の各部を冷却する方法について説明した。この場合、冷却用部材２ａ〜２ｅは、冷却ユニットにより冷却されるが、冷却時の冷却用部材２ａ〜２ｅの温度は、冷却ユニットの冷却性能に応じた温度となる。これに対し、第２の実施の形態では、遺体の状態に応じて各冷却用部材の冷却温度を異なる温度とする場合について説明する。
【００３２】
例えば、遺体はオムツを着用していることが多いため、本実施の形態では、オムツを着用した遺体であってもオムツによって冷却効果が妨げられないように、オムツが接する部分に位置する腰冷却用部材２ｃの温度が他の冷却用部材の温度よりも低くなるように設計することとする。
【００３３】
この場合、遺体がオムツを着用していても十分に冷却を行うことができるように、腰冷却用部材２ｃについては、他の冷却用部材よりも５℃〜１０℃ほど冷却温度を低くすればよい。ここで挙げた５℃〜１０℃は一例であり、腰冷却用部材２ｃの温度を他の冷却用部材と比較してどれくらい低くするかはこれに限定されるものではないが、腰冷却用部材２ｃの温度は低ければ低いほど望ましいため、例えば、腰冷却用部材２ｃに用いるペルチェ素子には、現在流通しているペルチェ素子の中で最も温度を下げられるものを用いるなどすれば、オムツを着用している遺体でも腐敗を防いで効果的に冷却することができる。
【００３４】
なお、腰冷却用部材２ｃの温度を他の冷却用部材よりも低くするための方法は限定されない。例えば、上述したように腰冷却用部材２ｃを冷却するための冷却ユニットをより冷却効果が高いものに変更してもよいし、腰冷却用部材２ｃを冷却するための冷却ユニットのペルチェ素子に流す電流を制御するようにしてもよい。
【００３５】
以上説明した第２の本実施の形態によれば、以下のような作用効果を得ることができる。
（１）遺体の状態に応じて各冷却用部材の冷却温度を個別に設定するようにした。これによって、遺体の状態に応じて各部位を効果的に冷却することができる。
【００３６】
（２）腰冷却用部材２ｃの冷却温度を他の冷却用部材の冷却温度よりも低くするようにした。これによって、オムツが接する部分に位置する腰冷却用部材２ｃの温度を低くすることができるため、オムツを着用した遺体であってもオムツによって冷却効果が妨げられないようにすることができる。
【００３７】
―変形例―
なお、上述した実施の形態の遺体冷却装置１００は、以下のように変形することもできる。
【００３８】
（１）上述した第１の実施の形態では、遺体冷却装置１００は、遺体安置台１ａは、第一の台部１ｂと第二の台部１ｃと第三の台部１ｄの３つに分割することができる例について説明した。しかしながら、遺体冷却装置１００は、遺体の身長や体形に合わせて配置を調整することが可能な構成であれば、その分割数は３つに限定されず、２つや４つ以上に分割してもよい。
【００３９】
（２）上述した第１の実施の形態では、遺体安置台１ａは、第一の台部１ｂと第二の台部１ｃと第三の台部１ｄの３つで構成され、第一の台部１ｂ、第二の台部１ｃ、第三の台部１ｄは、それぞれが４本の脚で自立するようにした。このとき、第一の台部１ｂ、第二の台部１ｃ、第三の台部１ｄに設けられた脚は折り畳み可能な構成としてもよい。これによって、各台部の持ち運びを容易にすることができる。
【００４０】
（３）上述した第１の実施の形態では、冷却用部材２ａ〜２ｅは、アルミ製の部材である例について説明した。しかしながら、熱伝導効果が高い部材であれば、素材はアルミに限定されるものではない。
【００４１】
（４）上述した第１の実施の形態では、第一の台部１ｂ、第二の台部１ｃ、第三の台部１ｄには、裏面側に冷却ユニットが収納された冷却ユニット収納部３ａ〜３ｃが設けられている例について説明した。しかしながら、冷却ユニット収納部３ａ〜３ｃを設けずに、第一の台部１ｂ、第二の台部１ｃ、第三の台部１ｄの裏面に冷却ユニットをそのまま取り付けるようにしてもよい。
【００４２】
（５）上述した第１の実施の形態では、遺体安置台１ａには、人体の頭に接する位置に配置された頭冷却用部材２ａと、人体の背中に接する位置に配置された背中冷却用部材２ｂと、人体の腰に接する位置に配置された腰冷却用部材２ｃと、人体の腿に接する位置に配置された腿冷却用部材２ｄと、人体の脹脛に接する位置に配置された脹脛冷却用部材２ｅとが配置されている例について説明した。しかしながら、遺体安置台１ａに配置される冷却用部材は、頭から首にかけての全範囲または一部の範囲に接する位置に設けられる少なくとも１つの冷却用部材と、背中から臀部にかけての全範囲または一部の範囲に接する位置に設けられる少なくとも１つの冷却用部材と、腿から脹脛の全範囲または一部の範囲に接する位置に設けられる少なくとも１つの冷却用部材とを含み、これらが遺体の腐敗を抑制する効果を得られるように配置されていれば、上述した実施の形態における配置例に限定されない。
【００４３】
（６）上述した第１の実施の形態では、遺体安置台１ａは、第一の台部１ｂと第二の台部１ｃと第三の台部１ｄの３つに分割することができ、第一の台部１ｂ、第二の台部１ｃ、第三の台部１ｄは、それぞれが４本の脚で自立する構造になっている例について説明した。このとき、図６に示すように、第一の台部１ｂの上側２本の脚は、脚の長さを延長するための長さ延長用部材５ａを取り付け可能とするようにしてもよい。第一の台部１ｂの上側２本の脚を延長すると、図６に示すように遺体の頭部が持ち上げられるため、遺体の背中や腰が曲がっている場合でもまっすぐ寝かせることができる。このように、第一の台部１ｂの上側２本の脚を延長することによって、背中や腰が曲がっている遺体にも対応することが可能となる。
【００４４】
（７）上述した第２の実施の形態では、オムツを着用している遺体を想定して腰冷却用部材２ｃの冷却温度を低くする例について説明したが、冷却温度を変更可能とする冷却用部材は腰冷却用部材２ｃに限定されず、各冷却用部材の冷却温度を遺体の状態に応じて個別に変更できるようにし、目的に応じて少なくとも一つの冷却用部材の冷却温度を任意に変更することができるようにしてもよい。
【００４５】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４６】
１００  遺体安置装置
１ａ  遺体安置台
１ｂ  第一の台部
１ｃ  第二の台部
１ｄ  第三の台部
２ａ  頭冷却用部
２ｂ  背中冷却用部材
２ｃ  腰冷却用部材
２ｄ  腿冷却用部材
２ｅ  脹脛冷却用部材
３ａ、３ｂ、３ｃ  冷却ユニット収納部
４ａ、４ｂ、４ｃ、４ｄ、４ｅ  温度表示部
５ａ  長さ延長用部材
【図１】
2019217258.tif 000003
【図２】
2019217258.tif 000004
【図３】
2019217258.tif 000005
【図４】
2019217258.tif 000006
【図５】
2019217258.tif 000007
【図６】
2019217258.tif 000008